(57)【要約】【課題】ユーザーが所望の設定状態から初期化スイッチを押しても、設定を行っていた状態に戻ることが可能な放送信号受信装置を提供する。【解決手段】放送信号受信装置において、動作状態を設定するための操作手段を持ち、該操作手段に対して所定の登録操作が行われた時、あるいは所定のタイミング時での動作状態を一時的に記憶する一時記憶手段と、該操作手段に対して、設定を変更した後に、該一時記憶手段に記憶した設定状態に戻す制御手段を持つことを特徴とする。【選択図】図１
2007158904.tif 000002
【特許請求の範囲】
【請求項１】
放送信号を受信する放送信号受信装置において、動作状態を設定するための操作手段を持ち、該操作手段に対して動作状態の所定の登録操作が行われた時、あるいは所定のタイミング時での動作状態を一時的に記憶する一時記憶手段と、該操作手段に対して、上記動作状態の設定を変更した後に、該一時記憶手段に記憶した上記設定された動作状態に戻す制御手段を持つことを特徴とする放送信号受信装置。
【請求項２】
請求項１に記載の放送信号受信装置において、
上記動作状態の設定が、画像表示の設定であることを特徴とする放送信号受信装置。
【請求項３】
請求項１または請求項２に記載の放送信号受信装置において、
放送信号がテレビジョン放送信号であり、受信装置がテレビジョン放送受信機であることを特徴とする放送信号受信装置。
【請求項４】
請求項１ないし請求項３のいずれかに記載の放送信号受信装置において、
上記制御手段は、ＧＵＩ画面および慣用された操作子で実現されることを特徴とする放送信号受信装置。
【請求項５】
請求項１ないし請求項４のいずれかに記載の放送信号受信装置において、
上記制御手段は、動作状態の設定の初期値を記憶する記憶手段を持ち、初期化した後も１つ前の設定状態に戻せることを特徴とする放送信号受信装置。
【発明の詳細な説明】
【技術分野】
【０００１】
本発明は、本発明は、テレビジョン放送受信機などの放送信号受信装置において、動作状態の設定を行う方法に関するものである。
【背景技術】
【０００２】
近年のテレビジョン放送受信機の性質向上にともない、機能も充実してきた。テレビジョン放送、ＤＶＤ、ゲームなど、視聴対象者毎に明るさや色調の設定が可能になる一方で、その設定方法は複雑となり、製品購入時の状態に戻すための初期化機能が必要となった。また、初期化に関する従来の技術としては、特許文献１には、初期化スイッチの操作により、ユーザーがこれまで設定してきた動作状態をリセットし、あらかじめ記憶していた初期値に対応する動作状態（工場出荷時での状態）に容易に戻せる電子装置が記載されている。
【０００３】
また、特許文献２には、ユーザーが所望の設定を行い、それを標準設定としてメモリに保存し、標準化キーに対応させることにより、ユーザーは簡単なリモコン操作で標準設定に戻せる表示装置が記載されている。
【特許文献１】特開平４−３１８７７８号公報
【特許文献２】特開平１１−３５５６８５号公報
【発明の開示】
【発明が解決しようとする課題】
【０００４】
画像設定において、ユーザーが明るさや色調などの設定を変更した後、設定をどの程度変更したのか判らなくなったり、操作ミスなどにより設定の初期化を行うことがある。この場合、前記特許文献１および特許文献２による技術では、再度好みの設定にするために始めからやり直さなければならない。一度初期化スイッチを選んでしまうと、それ以前のデータ（設定値）が消えてしまうため、工場出荷時での設定となってしまう。
本発明は、ユーザーが所望の設定状態から初期化スイッチを押しても、設定を行っていた状態に戻ることが可能な放送信号受信装置を提供することを目的とする。
【課題を解決するための手段】
【０００５】
本発明の放送信号受信装置では、動作状態を設定するための操作手段を持ち、該操作手段に対して動作状態の所定の登録操作が行われた時、あるいは所定のタイミング時での動作状態を一時的に記憶する一時記憶手段と、該操作手段に対して、上記動作状態の設定を変更した後に、該一時記憶手段に記憶した上記設定された動作状態に戻す制御手段を持つことを特徴とする。
【０００６】
上記制御手段は、ＧＵＩ（Graphic User Interface）画面および慣用された操作子で実現され、上記制御手段は、動作状態の設定の初期値を記憶する記憶手段を持ち、初期化した後も１つ前の設定状態に戻せることを特徴とする。
【発明の効果】
【０００７】
本発明の放送信号受信装置は、ユーザーがセットした画像設定を一時保存領域に記憶させておき、これを読み込むための取り戻しボタンによって、初期化スイッチを押された後でも以前の設定状態に戻すことができるようになる。また、現在の設定状態と工場出荷時の設定状態を比べて選べるようになり、好みの設定環境を作りやすくなる。
【発明を実施するための最良の形態】
【０００８】
以下、図面を参照して、本発明の放送信号受信装置の実施の形態について説明する。
【実施例１】
【０００９】
図１は、本発明の実施例１であるテレビジョン放送受信機の概略構成を示すブロック図である。図１に示すように、本発明の実施例１のテレビジョン放送受信機１は、デジタル放送用チューナ・復調部２と、ＴＳ（トランスポートストリーム）デコーダ３と、ＡＶ（オーディオビジュアル）デコーダ４と、音声出力部５と、画像重畳部６と、映像出力部７と、アナログ放送用チューナ・復調部８と、多重分離部９と、ＣＰＵ１０１と、メモリ１０２と、操作部１０３と、グラフィックス生成部１０４と、を備えた構成となっている。なお、図１では、ＣＰＵ１０１は、テレビジョン放送受信機１を統括制御するものである。画像重畳部６、映像出力部７により表示部２００が構成されている。
【００１０】
ここでは、まず、デジタル放送信号の流れとともに、テレビジョン放送受信機１の各構成要素について説明する。デジタル放送用チューナ・復調部２は、アンテナ（図示せず）を通じてデジタル放送の信号が供給されると、受信信号の選局を行った後、その信号形態に従った復調および誤り訂正を行い、多重化デジタルデータを生成し、この多重化デジタルデータをＴＳデコーダ３に出力する。
【００１１】
ＴＳデコーダ３は、デジタル放送用チューナ・復調部２より出力された多重化デジタルデータをデコードしてＴＳを抽出し、目的別のＴＳパケットに分離して後段のＡＶデコーダ４およびＣＰＵ１０１に出力する。ここで、ＴＳとは固定長のＴＳパケットが連続した信号列のことであり、各ＴＳパケットは、映像・音声信号以外に番組情報や選局に必要な情報などのデータ信号を含むことがある。ここでは、抽出したＴＳを、ＡＶデコーダ４への出力用の映像・音声信号を含むＴＳパケットと、ＣＰＵ１０１への出力用の放送情報関連のデータ信号を含むＴＳパケットとに分離する。ＡＶデコーダ４は、ＴＳデコーダ３からのＴＳパケットをデコードし、音声信号および映像信号を生成し、音声信号であれば音声出力部５へ、映像信号であれば表示部２００を構成する画像重畳部６へそれぞれ出力する。
【００１２】
一方、ＣＰＵ１０１は、ＴＳデコーダ３から受け取ったＴＳパケットをメモリ１０２に保存し、グラフィックス生成部１０４へ出力する。グラフィックス生成部１０４は、画像重畳部６へ出力するためのＯＳＤ（On Screen Display）情報を生成する。このＯＳＤ情報は、電子番組表（ＥＰＧ：Electronic Program Guide）やユーザーがテレビジョン放送受信機１を操作するためのメニュー画面（ＧＵＩ）などである。
【００１３】
画像重畳部６は、ＡＶデコーダ４にてデコードされた映像信号と、電子番組表やＧＵＩ画像などのＯＳＤ情報からなる画像とを重ね合わせ、表示部２００を構成する映像出力部７に送る。映像出力部７としては、ＬＣＤ（液晶ディスプレイ）、ＰＤＰ（プラズマディスプレイパネル）、またはＣＲＴ（cathode-ray tube）ディスプレイなどの表示装置が用いられる。
【００１４】
アナログ放送用チューナ・復調部８にはアンテナで受信されたアナログ放送の放送信号が供給される。多重分離部９は、アナログ放送用チューナ・復調部８から出力されたアナログ放送信号を番組関連情報と映像音声信号に分離する。
【００１５】
また、ＣＰＵ１０１は、操作部１０３からの信号を処理し、その動作を各部へ指示をするようになっている。操作部１０３は、テレビジョン放送受信機１を操作するための信号を入力する入力手段であり、テレビジョン放送受信機１自体に設けられた第１操作部１０３ａと、装置外部でリモート操作するためのリモートコントローラ（リモコン）等を用いる第２操作部１０３ｂとで構成されている。なお、第２操作部１０３ｂとしては、上述のリモコンの他に、他の有線の入力機器（キーボードやマウスなど）であってもよい。
【００１６】
メモリ１０２には、動作設定保存領域１０２ａがあり、ここから動作設定情報を読み取って動作する。１０２ｂは動作設定を一時的に保存するための領域であり、工場出荷時での初期設定は１０２ｃに保存される。
【００１７】
次に、図２にテレビジョン画面上で操作する際の画像設定画面の一例を示す。メニュー画面３００において、画像設定の対象となる「明るさ」ボタン３０１や、「色調」ボタン３０２が表示され、ユーザーはこの画面でリモコンにより画像設定の変更を行う。例えば、「明るさ」ボタン３０１を選ぶと、テレビジョン画面の明暗の設定を変更するウィンドウが開く。また、「初期化」ボタン３０３を選ぶと、初期化のＹＥＳ／ＮＯの確認のウィンドウが開く。このとき、初期化ボタンでＹＥＳを選択すると、設定値が工場出荷時での状態となり、また始めから好みの設定に変更することになる。
【００１８】
３０４は「取り戻し」ボタンである。取り戻しボタン３０４は、初期化ボタン３０３を用いて設定値を初期化した後に、初期化直前の設定情報を取り戻す機能を提供する。取り戻しボタン３０４を選ぶと、ＹＥＳ／ＮＯの確認のウィンドウ（３０５、３０６）が開く。ここでＹＥＳボタンを選ぶと、初期化する直前の明るさ、色調等の設定値が取り戻される。
これにより、ユーザーは工場出荷時の設定と現在の画像設定を見比べることができる。さらに選択した設定から継続して画像変更ができるので、好みの設定環境が作りやすくなる。
【００１９】
上記構成のテレビジョン受信機による画像設定処理の流れについて、図３、図４、図５及び図６に示すフローチャートを参照しながら以下に説明する。
【００２０】
始めに、一つの画像設定の表示形態を選択する処理の流れについて、図３に示すフローチャートを参照しながら以下に説明する。まず、ユーザーにより第２操作部１０３ｂが操作され、表示部２００に表示形態の選択メニューが表示される（ステップＳ１１）。ここで、表示部２００には、図２に示すようなメニュー画面が表示される。
【００２１】
次に、動作設定制御部１０１ａは、第２操作部１０３ｂからの選択信号を受信したか否かを判断する（ステップＳ１２）。
そして、動作設定制御部１０１ａは、受け取った選択信号から画像設定の情報を生成し（ステップＳ１３）、メモリ１０２の動作設定一時保存領域１０２ｂに、生成した画像設定の情報を保持させる（ステップＳ１４）。これにより、動作設定一時保存領域１０２ｂに、ユーザーが設定した画像設定情報が一時的に格納される。
【００２２】
次に、動作設定保存領域１０２ｂまたは初期設定保存領域１０３ｂに格納された情報のうち、表示させる画像設定情報を動作設定保存領域１０２ａに読み込ませ、画像情報を保持する（ステップＳ１４）。
続いて、ユーザーが表示部２００において、好みの画像設定を表示させる際の処理の流れについて図４に示すフローチャートを参照しながら以下に説明する。まず、画像設定の変更を指示する信号を受信したか否かを判断する（ステップＳ２１）。ここで、動作設定制御部１０１ａは、第２操作部１０３ｂからの画像設定メニューを表示する指示の信号を受信したか否かを判断する。
【００２３】
そして、画像設定の変更を指示する信号を受信したら、画像設定生成処理を実行する（ステップＳ２２）。ここでは、動作設定制御部１０１ａがグラフィックス生成部１０４に対して、画像設定生成の指示信号を送り、これを受けたグラフィックス生成部１０４が、メモリ１０２の動作設定保存領域１０２ａに保持されたレコードに対応した画像設定情報を読み出し、画像設定変更を生成する。
【００２４】
そして、生成した画像設定画面の表示処理を実行する（ステップＳ２３）。ここでは、グラフィックス生成部１０４において生成された画像設定を表示部２００に送り、画像設定として表示させる。
【００２５】
図５は、初期化ボタン３０３が押された際の画像設定を表示させる処理の流れについてのフローチャートである。まず、初期化３０３を指示する信号を受信したか否かを判断する（ステップＳ３１）。ここで、動作設定制御部１０１ａは、第２操作部１０３ｂからの画像設定メニューを初期化する指示の信号を受信したか否かを判断する。
【００２６】
そして、初期設定を指示する信号を受信したら、初期画像設定取り出し処理を実行する（ステップＳ３２）。ここでは、動作設定制御部１０１ａがグラフィックス生成部１０４に対して、初期画像設定取り出しの指示信号を送る。このとき、動作設定制御部１０１ａは、動作設定保存領域１０２ａに、初期設定保存領域１０２ｃに保持されているレコードの情報を読み込む。これを受けたグラフィックス生成部１０４が、動作設定保存領域１０２ａの画像設定情報を読み出す。そして、読み込んだ初期設定に従った動作設定処理を実行する（ステップＳ３３）。
【００２７】
図６は、取り戻しボタン３０４が押された際の画像設定を表示させる処理の流れについてのフローチャートである。まず、取り戻し３０４を指示する信号を受信したか否かを判断する（ステップＳ４１）。ここで、動作設定制御部１０１ａは、第２操作部１０３ｂからの画像設定メニューを取り戻す指示の信号を受信したか否かを判別する。
【００２８】
そして、設定を取り戻しの指示を受信したら、画像設定取り出し処理を実行する（ステップＳ４２）。ここでは、動作設定制御部１０１ａがグラフィックス生成部１０４に対して、画像設定取り戻しの指示信号を送る。このとき、動作設定保存領域１０２ａは、動作設定一時保存領域１０２ｂに保持されているレコードの情報を読み込む。これを受けたグラフィックス生成部１０４が、動作設定保存領域１０２ａの画像設定情報を読み出す。そして、読み込んだ画像設定に従った動作設定処理を実行する（ステップＳ４３）。
【００２９】
本実施例１では、画像設定をする際に、初期化ボタン３０３や取戻しボタン３０４を何度でも用いて選択できるようにしているが、同じボタンが連続して押されても、一度押したときの結果と同じになる。
【００３０】
本発明の実施例１では、テレビジョン受信機について説明したが、本発明はテレビ信号受信装置のみならず、放送信号を受信して記録する放送信号受信装置、放送信号記録再生装置、あるいは、放送信号表示装置に適用可能である。放送信号受信装置の受信する放送信号には、一般のテレビ放送のみならず、ＣＡＴＶ放送、インターネットによる番組放送、ＬＡＮスポット等からのサーバー型番組放送などの種々の放送信号が含まれる。
【図面の簡単な説明】
【００３１】
【図１】図１は、本発明の実施例１のテレビジョン受信機の概略構成を示すブロック図である。
【図２】図２は、画像設定メニュー画面の一例を示した図である。
【図３】図３は、画像設定の表示形態を選択する処理の流れを示すフローチャートである。
【図４】図４は、好みの画像設定を表示させる処理の流れを示すフローチャートである。
【図５】図５は、初期化ボタンが選択されたときに画像設定を表示させる処理の流れを示すフローチャートである。
【図６】図６は、取り戻しボタンが選択されたときに画像設定を表示させる処理の流れを示すフローチャートである。
【符号の説明】
【００３２】
１    テレビジョン放送受信機
２    デジタル放送用チューナ・復調部
３    ＴＳデコーダ
４    ＡＶデコーダ
５    音声出力部
６    画像重畳部
７    映像出力部
８    アナログ放送用チューナ・復調部
９    多重分離部
１０１    ＣＰＵ
１０２    メモリ
１０２ａ    動作設定保存領域
１０２ｂ    動作設定一時保存領域
１０２ｃ    初期設定保存領域
１０３    操作部
１０３ａ    第１操作部
１０３ｂ    第２操作部
１０４    グラフィックス生成部
２００    表示部
３００    画像設定メニュー画面
３０１    明るさボタン
３０２    色調ボタン
３０３    初期化ボタン
３０４    取り戻しボタン
３０５    ＹＥＳボタン
３０６    ＮＯボタン
【図１】
2007158904.tif 000003
【図２】
2007158904.tif 000004
【図３】
2007158904.tif 000005
【図４】
2007158904.tif 000006
【図５】
2007158904.tif 000007
【図６】
2007158904.tif 000008